(57)【要約】【課題】キャプチャ処理が行われた画像が正しく表示されるようにキャプチャ処理することができる表示装置及び画像情報抽出方法を提供する。【解決手段】表示装置は、入力された画像に対して所定の画像処理を行い、画像処理後の画像を表示部に表示する。表示装置は、表示部に表示される画像の画像情報を抽出するための操作を受け付ける受付部と、受付部で操作を受け付けた場合、入力された画像に対する画像処理を無効にすべく制御する制御部と、制御部で画像処理が無効にされた画像から画像情報を抽出する抽出部とを備え、制御部は、抽出部で画像情報を抽出した場合、画像処理を有効にすべく制御する。【選択図】図１
2015173421.tif 000002
【特許請求の範囲】
【請求項１】
入力された画像に対して所定の画像処理を行い、該画像処理後の画像を表示部に表示する表示装置であって、
前記表示部に表示される画像の画像情報を抽出するための操作を受け付ける受付部と、
該受付部で前記操作を受け付けた場合、入力された画像に対する前記画像処理を無効にすべく制御する制御部と、
該制御部で前記画像処理が無効にされた前記画像から画像情報を抽出する抽出部と
を備え、
前記制御部は、
前記抽出部で画像情報を抽出した場合、前記画像処理を有効にすべく制御するようにしてあることを特徴とする表示装置。
【請求項２】
前記抽出部で画像情報を抽出した場合、抽出した画像情報に基づく抽出画像に対して前記画像処理を行う画像処理部を備え、
前記画像処理後の抽出画像を前記表示部に表示するようにしてあることを特徴とする請求項１に記載の表示装置。
【請求項３】
前記画像処理は、
色調整処理、コントラスト調整処理又は鮮鋭化処理の少なくとも１つを含むことを特徴とする請求項１又は請求項２に記載の表示装置。
【請求項４】
前記抽出部で抽出した画像情報を記憶する記憶部を備えることを特徴とする請求項１から請求項３までのいずれか１項に記載の表示装置。
【請求項５】
入力された画像に対して所定の画像処理を行い、該画像処理後の画像を表示部に表示する表示装置による画像情報抽出方法であって、
前記表示部に表示される画像の画像情報を抽出するための操作を受け付けるステップと、
前記操作を受け付けた場合、入力された画像に対する前記画像処理を無効にすべく制御するステップと、
前記画像処理が無効にされた前記画像から画像情報を抽出するステップと、
前記画像情報が抽出された場合、前記画像処理を有効にすべく制御するステップと
を含むことを特徴とする画像情報抽出方法。
【発明の詳細な説明】
【技術分野】
【０００１】
本発明は、入力された画像に対して所定の画像処理を行い、画像処理後の画像を表示部に表示する表示装置及び画像情報抽出方法に関する。
【背景技術】
【０００２】
近年、画像（映像を含む）をキャプチャ処理して静止画像を生成し、生成した静止画像を記録し、記録した静止画像をデータベース化することが行われている。
【０００３】
例えば、ハイビジョン電子内視鏡で撮像されたハイビジョンアナログ信号をＡ／Ｄ変換機でデジタル信号に変換し、変換したデジタル信号をキャプチャボードでキャプチャ処理してフレームメモリに格納することにより、高解像度のデジタルファイリングが可能な装置が開示されている（特許文献１参照）。
【０００４】
また、このようなキャプチャ処理は、表示画面に表示される画像に対しても行われている。例えば、入力される画像に対して所定の画像処理を行い、画像処理後の画像を表示画面に表示する装置において、表示画面に表示される画像をキャプチャして静止画像を生成し、生成した静止画像を記録し、あるいは生成した静止画像を表示画面に表示させることが行われている。
【先行技術文献】
【特許文献】
【０００５】
【特許文献１】特開２００６−２１８１３８号公報
【発明の概要】
【発明が解決しようとする課題】
【０００６】
しかし、従来のキャプチャ処理は、所定の画像処理後に表示画面に表示される画像をキャプチャするため、キャプチャされた静止画像は、所定の画像処理が施された画像となっている。キャプチャ処理された静止画像がメモリ等に記録される。メモリ等に記録された静止画像を表示画面に表示する場合には、表示画面に表示する前に再度所定の画像処理が行われるため、表示画面に表示された静止画像は、所定の画像処理が２度施されることになり、正しく表示されないという問題がある。
【０００７】
本発明は斯かる事情に鑑みてなされたものであり、キャプチャ処理が行われた画像が正しく表示されるようにキャプチャ処理することができる表示装置及び画像情報抽出方法を提供することを目的とする。
【課題を解決するための手段】
【０００８】
本発明に係る表示装置は、入力された画像に対して所定の画像処理を行い、該画像処理後の画像を表示部に表示する表示装置であって、前記表示部に表示される画像の画像情報を抽出するための操作を受け付ける受付部と、該受付部で前記操作を受け付けた場合、入力された画像に対する前記画像処理を無効にすべく制御する制御部と、該制御部で前記画像処理が無効にされた前記画像から画像情報を抽出する抽出部とを備え、前記制御部は、前記抽出部で画像情報を抽出した場合、前記画像処理を有効にすべく制御するようにしてあることを特徴とする。
【０００９】
本発明に係る表示装置は、前記抽出部で画像情報を抽出した場合、抽出した画像情報に基づく抽出画像に対して前記画像処理を行う画像処理部を備え、前記画像処理後の抽出画像を前記表示部に表示するようにしてあることを特徴とする。
【００１０】
本発明に係る表示装置は、前記画像処理は、色調整処理、コントラスト調整処理又は鮮鋭化処理の少なくとも１つを含むことを特徴とする。
【００１１】
本発明に係る表示装置は、前記抽出部で抽出した画像情報を記憶する記憶部を備えることを特徴とする。
【００１２】
本発明に係る画像情報抽出方法は、入力された画像に対して所定の画像処理を行い、該画像処理後の画像を表示部に表示する表示装置による画像情報抽出方法であって、前記表示部に表示される画像の画像情報を抽出するための操作を受け付けるステップと、前記操作を受け付けた場合、入力された画像に対する前記画像処理を無効にすべく制御するステップと、前記画像処理が無効にされた前記画像から画像情報を抽出するステップと、前記画像情報が抽出された場合、前記画像処理を有効にすべく制御するステップとを含むことを特徴とする。
【発明の効果】
【００１３】
本発明によれば、キャプチャ処理が行われた画像が正しく表示されるようにキャプチャ処理することができる。
【図面の簡単な説明】
【００１４】
【図１】本実施の形態の第１実施例の表示装置の構成の一例を示すブロック図である。
【図２】液晶モニタに表示される映像の一例を示す説明図である。
【図３】従来のキャプチャ処理により得られた静止画像の一例を示す説明図である。
【図４】従来のキャプチャ処理により得られた静止画像を液晶モニタに表示させた場合の一例を示す説明図である。
【図５】本実施の形態のキャプチャ処理により得られた静止画像の一例を示す説明図である。
【図６】本実施の形態のキャプチャ処理により得られた静止画像を液晶モニタに表示させた場合の一例を示す説明図である。
【図７】本実施の形態の画像処理部の他の実施例を示す説明図である。
【図８】本実施の形態の第４実施例としての表示装置１００の構成の一例を示すブロック図である。
【図９】本実施の形態の表示装置によるキャプチャ処理手順の一例を示すフローチャートである。
【発明を実施するための形態】
【００１５】
以下、本発明を実施の形態を示す図面に基づいて説明する。図１は本実施の形態の第１実施例の表示装置１００の構成の一例を示すブロック図である。表示装置１００は、ディスプレイ部１１０、内蔵コントローラ部１２０、タッチパネル部１３０などを備える。ディスプレイ部１１０は、制御部１０、表示部２０、ＲＯＭ（Read Only Memory）３０、ＲＡＭ（Random Access Memory）４０、操作入力部５０、通信部６０、入力信号検出部７０、画像処理部８０、映像信号出力部９０などを備える。また、表示部２０は、液晶モニタ２１、コントローラ２２、ＶＲＡＭ（Video RAM）２３などを備える。
【００１６】
内蔵コントローラ部１２０は、アプリケーション１２１、ＯＳ１２２、ドライバ１２３、映像キャプチャ部１２５、映像信号出力部１２６などを備える。
【００１７】
制御部１０は、ディスプレイ部１１０全体を制御する。制御部１０は、例えば、マイクロプロセッサ(Microprocessor)、プログラミング可能な集積回路であるＦＰＧＡ(Field Programmable Gate Array)、特定の用途のために設計及び製造される集積回路であるＡＳＩＣ(Application Specific Integrated Circuit)、その他の演算機能を有する回路のいずれであってもよい。
【００１８】
液晶モニタ２１は、コントローラ２２の制御の下、一旦ＶＲＡＭ２３に記憶された映像信号を表示する。
【００１９】
ＲＯＭ３０は、制御部１０が使用する制御プログラムなどを格納する。また、ＲＡＭ４０は、制御部１０によりアクセスされ、制御部１０で実行した結果得られたデータを一時的に記憶するワークメモリとして機能する。
【００２０】
操作入力部５０は、ユーザの操作を受け付ける受付部として機能する。操作入力部５０は、例えば、表示装置１００に設けられたキャプチャキーによる操作、リモコン等に設けられたキャプチャボタンによる遠隔操作を受け付けることができる。
【００２１】
通信部６０は、内蔵コントローラ部１２０との間の処理及びデータの授受を行うための通信機能を有する。
【００２２】
入力信号検出部７０は、表示装置１００に接続されるパーソナルコンピュータ（ＰＣ）又はＡＶ機器等（いずれも不図示）が出力する映像信号（画像信号）を検出する。
【００２３】
画像処理部８０は、入力された映像（画像とも称する）に対して所定の画像処理を施す。
【００２４】
映像信号出力部９０は、画像処理部８０で画像処理が施された後の映像（画像）を表示部２０へ出力する。表示部２０は、映像信号出力部９０から出力された映像を一旦ＶＲＡＭ２３に記憶する。
【００２５】
また、映像信号出力部９０は、制御部１０の制御の下、操作入力部５０でキャプチャ処理を行う操作を受け付けた場合、画像処理部８０での画像処理がスルー（バイパス）された映像（画像）を映像キャプチャ部１２５へ出力する。
【００２６】
アプリケーション１２１は、例えば、液晶モニタ２１に表示された画像に対して、ペン又は指等で文字又は図表を描画するためのアプリケーションソフトウェアであるが、これに限定されるものではない。
【００２７】
ＯＳ１２２は、内蔵コントローラ部１２０の動作を制御するとともに、アプリケーション１２１を動作させるためのオペレーティングシステムである。
【００２８】
ドライバ１２３は、タッチパネル部１３０との間の処理を行うためのタッチパネルドライバ、画像処理を行うためのグラフィックドライバなどを含む。
【００２９】
映像キャプチャ部１２５は、抽出部及び記憶部としての機能を有する。映像キャプチャ部１２５には、例えば、ビデオキャプチャボードなどで構成され、表示部２０へ出力される映像信号が分岐して入力される。
【００３０】
より具体的には、映像キャプチャ部１２５には、操作入力部５０でキャプチャ処理を行う操作を受け付けた場合、画像処理部８０での画像処理がスルー（バイパス）された映像（画像）が入力される。なお、画像処理部８０での画像処理がスルー（バイパス）された映像（画像）は、表示部２０へも出力される。
【００３１】
そして、映像キャプチャ部１２５は、入力された映像（画像）に対してキャプチャ処理を行って映像から画像情報を抽出し、抽出した画像情報を記憶する。映像キャプチャ部１２５は、キャプチャ処理を行うことにより、抽出画像としての静止画像（キャプチャ画像）を保存することができる。
【００３２】
映像信号出力部１２６は、グラフィックチップ又はグラフィックボードで構成され、内蔵コントローラ部１２０の映像（画像）を入力信号検出部７０へ出力する。
【００３３】
タッチパネル部１３０は、ペン又は指等によるタッチ操作、文字及び図表などの描画を行うことができる。
【００３４】
次に、本実施の形態の表示装置１００によるキャプチャ処理について説明する。なお、以下の例では、所定の画像処理として、入力映像に対して、やや赤味を加える色調整処理について説明するが、所定の画像処理はこれに限定されるものではない。
【００３５】
図２は液晶モニタ２１に表示される映像の一例を示す説明図である。図２に示すように、入力映像（元の映像又は元の画像とも称する）は、リンゴの画像である。入力映像に対して所定の画像処理が施されると、画像処理後の映像は、やや赤味が加えられた映像となる。そして、液晶モニタ２１に表示された映像は、元の映像に対して、やや赤っぽい画像となる。これにより、液晶パネル２１には、所望の画像処理が施された映像（少し赤味を加えた映像）を表示させることができる。
【００３６】
図３は従来のキャプチャ処理により得られた静止画像の一例を示す説明図である。図３に示すように、従来のキャプチャ処理では、所定の画像処理を施した後の映像をキャプチャするので、キャプチャ後の静止画像にも所定の画像処理が反映され、やや赤っぽい画像となる。
【００３７】
図４は従来のキャプチャ処理により得られた静止画像を液晶モニタに表示させた場合の一例を示す説明図である。図４に示すように、従来のキャプチャ処理により得られた静止画像は、図３に例示したように、所定の画像処理が反映され、やや赤っぽい画像となっている。そして、従来のキャプチャ処理によりキャプチャされた静止画像を液晶モニタに表示する場合、当該静止画像に対して、所定の画像処理が施されることにより、元の画像から見ると、所定の画像処理が重複（２回）して施されることになる。このため、液晶モニタに表示された静止画像は、所定の画像処理が重複して反映され、非常に赤っぽい画像となり、所望の画像を表示することができない。本実施の形態では、以下に説明するように、かかる問題を解決することができる。
【００３８】
図５は本実施の形態のキャプチャ処理により得られた静止画像の一例を示す説明図である。図５に示すように、本実施の形態のキャプチャ処理は、入力映像に対する画像処理をスルー（画像処理を無効化、画像処理を施さない）し、入力映像のまま出力する状態にしてからキャプチャするので、キャプチャされた静止画像は、元の画像と同じ状態（例えば、同じ色味）となる。
【００３９】
図６は本実施の形態のキャプチャ処理により得られた静止画像を液晶モニタに表示させた場合の一例を示す説明図である。図６に示すように、元の画像と同じ状態（例えば、同じ色味）となっている。そして、本実施の形態のキャプチャ処理によりキャプチャされた静止画像を液晶モニタに表示する場合、当該静止画像に対して、所定の画像処理が施されることにより、図２で例示した場合と同様に、所定の画像処理が１回だけ施されることになる。このため、液晶モニタに表示された静止画像は、元の画像に対して所定の画像処理を施した場合と同様の色味の画像、すなわち、やや赤っぽい画像となる。
【００４０】
上述のとおり、操作入力部５０は、表示部２０（特に、液晶モニタ２１）に表示される画像の画像情報を抽出するための操作を受け付ける。画像情報の抽出は、いわゆるキャプチャ処理である。制御部１０は、操作入力部５０で操作を受け付けた場合、入力された画像（元の画像とも称する）に対する画像処理部８０での画像処理を無効にすべく制御する。画像処理を無効にするとは、入力された画像に対して当該画像処理を行わずに画像処理をスルー又はバイパスすることを意味する。
【００４１】
映像キャプチャ部１２５は、制御部１０で画像処理が無効にされた画像から画像情報を抽出する。抽出する画像情報は、例えば、キャプチャ画像（静止画像）を生成するために必要な情報である。画像処理が無効にされた状態で画像から画像情報を抽出するので、元の入力された画像の状態のままの画像情報を抽出することができる。映像キャプチャ部１２５は、画像情報の抽出を完了した場合、すなわちキャプチャ処理を完了した場合、完了した旨を制御部１０へ通知する。
【００４２】
そして、制御部１０は、映像キャプチャ部１２５で画像情報を抽出した場合、画像処理部８０での画像処理を有効にすべく制御する。これにより、キャプチャ処理が終了すると、入力される画像に対しては所定の画像処理が施され、画像処理後の画像が表示部２０に表示される。
【００４３】
このように、キャプチャ処理する場合に、所定の画像処理を一旦無効にして、画像処理が行われない状態の画像から画像情報を抽出するので、キャプチャ処理が行われた静止画像（抽出画像）は元の画像の状態のままにすることができる。そして、仮にキャプチャ処理が行われた静止画像を表示部２０で表示する場合には、元の画像と同じ状態の静止画像に対して、所定の画像処理が行われるので、元の画像を表示部２０に表示させたのと同じ状態で表示することができ、キャプチャ処理が行われた静止画像が正しく表示されるようにキャプチャ処理することができる。
【００４４】
また、画像処理部８０は、映像キャプチャ部１２５で画像情報を抽出した場合、抽出した画像情報に基づく静止画像（抽出画像）に対して画像処理を行う。すなわち、抽出された画像情報に基づく静止画像は、元の入力された画像の状態と同じであるので、静止画像に対して画像処理を行った結果得られた画像は、入力された画像に対して画像処理を行った結果得られた画像を同じ状態となる。そして、画像処理後の静止画像を表示部２０に表示する。これにより、表示部２０に表示される静止画像は、元の画像を表示させたのと同じ状態で表示することができる。
【００４５】
また、映像キャプチャ部１２５で抽出した画像情報は、映像キャプチャ部１２５内のメモリ（不図示）に記憶される。キャプチャ処理により抽出した画像情報を映像キャプチャ部１２５に記憶することにより、記憶した画像情報を取り出して（読み出して）、別の他の表示装置で表示させる場合でも、所定の画像処理が施されていない元の画像の状態と同じ画像を用いて、他の表示装置で表示させることができる。
【００４６】
次に、所定の画像処理の他の実施例について説明する。図７は本実施の形態の画像処理部８０の他の実施例を示す説明図である。画像処理部８０による所定の画像処理の第１実施例は、色調整処理である。色調整処理の例としては、例えば、前述のように、元の画像に対して、やや赤味を加える設定の他に、やや青味を加える設定、やや緑味を加える設定など、所要の色味を加える処理とすることができる。
【００４７】
また、画像処理部８０による所定の画像処理の第２実施例は、鮮鋭化処理である。鮮鋭化処理の例としては、例えば、画像のエッジを強調する処理とすることができる。
【００４８】
また、画像処理部８０による所定の画像処理の第３実施例は、コントラスト調整処理である。コントラスト調整処理の例としては、例えば、画像の濃度変換を行って、ややコントラストを強調する処理とすることができる。なお、所定の画像処理は、図７に例示する処理に限定されるものではない。
【００４９】
本実施の形態のキャプチャ処理により得られる静止画像は、上述のような画像処理が施されることなく生成されるので、静止画像を表示する際に画像処理部８０で所定の画像処理が施されても、重複して画像処理が施されることがないので、色調整、コントラスト調整処理又は鮮鋭化処理などが過度に施されることを防止することができる。
【００５０】
図８は本実施の形態の第４実施例としての表示装置１００の構成の一例を示すブロック図である。図１に例示した第１実施例との相違点は、操作入力部５０に代えて、操作入力部１２７を内蔵コントローラ部１２０に備えた点である。操作入力部１２７は、例えば、マウス等である。操作入力部１２７は、マウス等による操作などを受け付けることができる。第４実施例では、内蔵コントローラ１２０側でユーザがキャプチャ処理の操作を行い、キャプチャ処理の実行指令がディスプレイ部１１０側へ通知される。なお、キャプチャ処理は、第１実施例と同様であるので説明は省略する。
【００５１】
図９は本実施の形態の表示装置１００によるキャプチャ処理手順の一例を示すフローチャートである。キャプチャ処理手順は、画像情報抽出方法の一例を示すものである。なお、以下の説明では、便宜上処理の主体を制御部１０とする。
【００５２】
制御部１０は、入力された映像を取得し（Ｓ１１）、取得した映像に対して所定の画像処理を行う（Ｓ１２）。制御部１０は、画像処理後の映像を表示部２０に表示する（Ｓ１３）。制御部１０は、映像に対するキャプチャ操作の有無を判定し（Ｓ１４）、キャプチャ操作がない場合（Ｓ１４でＮＯ）、ステップＳ１１以降の処理を繰り返す。
【００５３】
キャプチャ操作があった場合（Ｓ１４でＹＥＳ）、制御部１０は、所定の画像処理を無効化する（Ｓ１５）。画像処理を無効化するとは、一時的に画像処理を行わないこと、画像処理をスルー又はバイパスすることである。制御部１０は、画像処理が施されていない映像をキャプチャする（Ｓ１６）。キャプチャ処理を行うことにより、静止画像を生成するための画像情報が記憶される。
【００５４】
制御部１０は、キャプチャ処理が完了したか否かを判定し（Ｓ１７）、キャプチャ処理が完了していない場合（Ｓ１７でＮＯ）、ステップＳ１７の処理を続ける。キャプチャ処理が完了した場合（Ｓ１７でＹＥＳ）、制御部１０は、画像処理を有効化する（Ｓ１８）。
【００５５】
制御部１０は、キャプチャした静止画像を表示するか否かを判定する（Ｓ１９）。なお、静止画像を表示するか否かは、ユーザが設定すればよい。静止画像を表示する場合（Ｓ１９でＹＥＳ）、制御部１０は、キャプチャした静止画像に対して所定の画像処理を行い（Ｓ２０）、画像処理後の静止画像を表示部２０に表示し（Ｓ２１）、後述のステップＳ２２の処理を行う。
【００５６】
静止画像を表示しない場合（Ｓ１９でＮＯ）、制御部１０は、処理を終了するか否かを判定し（Ｓ２２）、処理を終了しないと判定した場合（Ｓ２２でＮＯ）、ステップＳ１１以降の処理を繰り返す。処理を終了すると判定した場合（Ｓ２２でＹＥＳ）、制御部１０は、処理を終了する。
【００５７】
本発明の上述の各実施例で記載されている技術特徴は、お互いに組み合わせて新しい技術方案を形成することができる。
【００５８】
本実施の形態の表示装置は、入力された画像に対して所定の画像処理を行い、該画像処理後の画像を表示部に表示する表示装置であって、前記表示部に表示される画像の画像情報を抽出するための操作を受け付ける受付部と、該受付部で前記操作を受け付けた場合、入力された画像に対する前記画像処理を無効にすべく制御する制御部と、該制御部で前記画像処理が無効にされた前記画像から画像情報を抽出する抽出部とを備え、前記制御部は、前記抽出部で画像情報を抽出した場合、前記画像処理を有効にすべく制御するようにしてあることを特徴とする。
【００５９】
本実施の形態の画像情報抽出方法は、入力された画像に対して所定の画像処理を行い、該画像処理後の画像を表示部に表示する表示装置による画像情報抽出方法であって、前記表示部に表示される画像の画像情報を抽出するための操作を受け付けるステップと、前記操作を受け付けた場合、入力された画像に対する前記画像処理を無効にすべく制御するステップと、前記画像処理が無効にされた前記画像から画像情報を抽出するステップと、前記画像情報が抽出された場合、前記画像処理を有効にすべく制御するステップとを含むことを特徴とする。
【００６０】
本実施の形態にあっては、受付部（５０、１２７）は、表示部（２０）に表示される画像の画像情報を記録するための操作を受け付ける。画像情報の抽出は、いわゆるキャプチャ処理である。受付部は、例えば、表示装置に設けられたキャプチャキーによる操作、リモコン等に設けられたキャプチャボタンによる遠隔操作、マウス等による操作などを受け付けることができる。制御部（１０）は、受付部で操作を受け付けた場合、入力された画像（元の画像とも称する）に対する画像処理を無効にすべく制御する。画像処理を無効にするとは、入力された画像に対して当該画像処理を行わずに画像処理をスルー又はバイパスすることを意味する。
【００６１】
抽出部（１２５）は、制御部で画像処理が無効にされた画像から画像情報を抽出する。抽出する画像情報は、例えば、キャプチャ画像（静止画像）を生成するために必要な情報である。画像処理が無効にされた状態で画像から画像情報を抽出するので、元の入力された画像の状態のままの画像情報を抽出することができる。そして、制御部は、抽出部で画像情報を抽出した場合、画像処理を有効にすべく制御する。これにより、キャプチャ処理が終了すると、入力される画像に対しては所定の画像処理が施され、画像処理後の画像が表示部に表示される。
【００６２】
このように、キャプチャ処理する場合に、所定の画像処理を一旦無効にして、画像処理が行われない状態の画像から画像情報を抽出するので、キャプチャ処理が行われた抽出画像（キャプチャ画像、静止画像）は元の画像の状態のままにすることができる。そして、仮にキャプチャ処理が行われた抽出画像を表示部で表示する場合には、元の画像と同じ状態の抽出画像に対して所定の画像処理が行われるので、元の画像を表示させたのと同じ状態で表示することができ、キャプチャ処理が行われた画像が正しく表示されるようにキャプチャ処理することができる。
【００６３】
本実施の形態の表示装置は、前記抽出部で画像情報を抽出した場合、抽出した画像情報に基づく抽出画像に対して前記画像処理を行う画像処理部を備え、前記画像処理後の抽出画像を前記表示部に表示するようにしてあることを特徴とする。
【００６４】
本実施の形態にあっては、画像処理部（８０）は、抽出部で画像情報を抽出した場合、抽出した画像情報に基づく抽出画像に対して画像処理を行う。すなわち、抽出された画像情報に基づく抽出画像は、元の入力された画像の状態と同じであるので、抽出画像に対して画像処理を行った結果得られた画像は、入力された画像に対して画像処理を行った結果得られた画像を同じ状態となる。そして、画像処理後の抽出画像を表示部に表示する。これにより、表示部に表示される抽出画像は、元の画像を表示させたのと同じ状態で表示することができる。
【００６５】
本実施の形態の表示装置は、前記画像処理は、色調整処理、コントラスト調整処理又は鮮鋭化処理の少なくとも１つを含むことを特徴とする。
【００６６】
本実施の形態にあっては、所定の画像処理は、色調整処理、コントラスト調整処理又は鮮鋭化処理の少なくとも１つを含む。色調整処理は、例えば、元の画像に対して、やや赤みを加える処理、やや青味を加える処理、やや緑味を加える処理など、所要の色味を加える処理とすることができる。また、コントラスト調整処理は、画像の濃度変換を行って、ややコントラストを強調する処理とすることができる。また、鮮鋭化処理は、画像のエッジを強調する処理とすることができる。抽出画像は、上述のような画像処理が施されることなく抽出するので、抽出画像を表示する際に所定の画像処理が施されても、重複して画像処理が施されることがないので、色調整、コントラスト調整処理又は鮮鋭化処理などが過度に施されることを防止することができる。
【００６７】
本実施の形態の表示装置は、前記抽出部で抽出した画像情報を記憶する記憶部を備えることを特徴とする。
【００６８】
本実施の形態にあっては、抽出部で抽出した画像情報を記憶する記憶部（１２５）を備える。キャプチャ処理により抽出した画像情報を記憶することにより、記憶した画像情報を取り出して（読み出して）、別の他の表示装置で表示させる場合でも、所定の画像処理が施されていない元の画像の状態と同じ画像を用いて、他の表示装置で表示させることができる。
【符号の説明】
【００６９】
１０  制御部
２０  表示部
２１  液晶モニタ
２２  コントローラ
２３  ＶＲＡＭ
３０  ＲＯＭ
４０  ＲＡＭ
５０、１２７  操作入力部
６０  通信部
７０  入力信号検出部
８０  画像処理部
９０、１２６  映像信号出力部
１１０  ディスプレイ部
１２０  内蔵コントローラ部
１２１  アプリケーション
１２２  ＯＳ
１２３  ドライバ
１２５  映像キャプチャ部
【図１】
2015173421.tif 000003
【図２】
2015173421.tif 000004
【図３】
2015173421.tif 000005
【図４】
2015173421.tif 000006
【図５】
2015173421.tif 000007
【図６】
2015173421.tif 000008
【図７】
2015173421.tif 000009
【図８】
2015173421.tif 000010
【図９】
2015173421.tif 000011